(57)【要約】【課題】血糖計等の医療機器の誤操作等に係るエラー履歴情報に基づいて、ユーザによるエラーの傾向（癖等）を解析した情報を作成し、これをユーザへの指導材料として医療従事者等に提供することにより、エラー履歴情報の有効利用を図る。【解決手段】エラー情報処理システム１は、医療機器１０（血糖計１０Ａ）と、該医療機器１０で発生したエラーに関するエラー履歴情報を取得するエラー履歴情報取得部６０とエラー履歴情報に含まれる各エラーに対する評価を含むエラープロパティ情報を作成するエラー情報処理部６２とを備えるエラー情報処理装置５０と、からなる。【選択図】図４
2013076598.tif 000002
【特許請求の範囲】
【請求項１】
所定のバイタルサインを測定するとともに、機器に生じたエラーを検出しユーザに対して報知する機能を有する医療機器であって、
検出された前記エラーに関するエラー履歴情報を記憶可能な記憶部と、
前記医療機器と前記エラー履歴情報を処理するエラー情報処理装置とが通信可能な状態になった際に、前記エラー履歴情報を送信する通信部とを備える、
ことを特徴とする医療機器。
【請求項２】
請求項１記載の医療機器において、
前記エラー履歴情報は、前記エラーの発生日時、種類及びエラー発生時の前記医療機器の状態を含む、
ことを特徴とする医療機器。
【請求項３】
請求項１又は２記載の医療機器と、
前記エラー履歴情報を取得するエラー履歴情報取得部と前記エラー履歴情報に含まれる各エラーに対する評価を含むエラープロパティ情報を作成するエラー情報処理部とを備えるエラー情報処理装置と、
からなることを特徴とするエラー情報処理システム。
【請求項４】
請求項３記載のエラー情報処理システムにおいて、
前記エラー情報処理部は、前記各エラーの発生日時から前記エラー履歴情報の受信日時までの差分時間をそれぞれ算出し、少なくとも前記差分時間を算出根拠に含めて、前記各エラーに対する評価値としてのポイントを算出する、
ことを特徴とするエラー情報処理システム。
【請求項５】
請求項４記載のエラー情報処理システムにおいて、
前記エラー情報処理部は、前記エラー履歴情報中に同じ種類のエラーがある場合、同一種類の各エラーについて発生回数をそれぞれ算出し、前記差分時間及び前記発生回数に応じて前記ポイントを算出する、
ことを特徴とするエラー情報処理システム。
【請求項６】
請求項４又は５記載のエラー情報処理システムにおいて、
前記各エラーについての前記ポイントを反映したダイアグラムを作成するダイアグラム作成部を備える、
ことを特徴とするエラー情報処理システム。
【請求項７】
コンピュータを、
所定のバイタルサインを測定する医療機器にて発生したエラーに関するエラー履歴情報を取得するエラー履歴情報取得手段、及び
前記エラー履歴情報に含まれる各エラーに対する評価を含むエラープロパティ情報を作成するエラー情報処理手段
として機能させるためのエラー情報処理プログラム。
【発明の詳細な説明】
【技術分野】
【０００１】
本発明は、血糖値等のバイタルサインを測定する医療機器、当該医療機器から送信されたエラー情報を処理するエラー情報処理システム及び当該システムに適用されるエラー情報処理プログラムに関する。
【背景技術】
【０００２】
糖尿病患者には、血糖値の変動を測定することによる日常的な管理が推奨されている。血糖値の測定には、携行可能で患者自身が測定を行うための簡易型の血糖計が用いられる。従来の血糖計としては、例えば、患者自身が手指等を穿刺して出した血液を採取して、光学的又は電気化学的な特徴量から血糖値を測定するものが知られている。例えば、光学式の血糖計は、血液中のブドウ糖量に応じて呈色する試薬が含浸された試験紙に血液を供給し、当該試験紙の性状を光学的に検出し、血糖値を算出するように構成されている。当該試験紙は、ディスポーザブルの試験具に設けられ、当該試験具が血糖計の先端装着部に装着される（例えば、特許文献１参照）。
【０００３】
かかる血糖計には、使用手順や操作方法に関して何らかの不備がある場合、例えば、前記の試験紙が正しく装着されなかったり、適正温度以外の場所で測定しようとしたり、充分な血液が採取されなかったりした場合に、それらをエラーとして検出し、ディスプレイに表示等することにより使用者にエラーの発生を報知する機能を備えたものがある。
【先行技術文献】
【特許文献】
【０００４】
【特許文献１】特開２００５−０４０２６７号公報
【発明の概要】
【発明が解決しようとする課題】
【０００５】
従来の血糖計にあっては、エラーが検出され当該エラーの内容がユーザに報知された後には当該エラー情報が利用されることはなかった。ところで、糖尿病患者は、血糖計の測定自体は自身で行う一方、通常は定期的に医療施設等に行き、普段の食事内容や治療方針について医師から指導を受ける。この場合、血糖計の使用に際してユーザがどのようなエラーを発生させ易いのか、その傾向を医師等において把握できれば、ユーザに対する適切な指導に資するものであり、ユーザにおける血糖計の操作スキルの向上が期待できる。
【０００６】
本発明はこのような課題を考慮してなされたものであり、血糖計等の医療機器の誤操作等に係るエラー履歴情報に基づいて、ユーザによるエラーの傾向（癖等）を解析した情報を作成し、これをユーザへの指導材料として医療従事者等に提供することにより、エラー履歴情報の有効利用を図ることができる医療機器、エラー情報処理システム及びエラー情報処理プログラムを提供することを目的とする。
【課題を解決するための手段】
【０００７】
上記の目的を達成するため、本発明の医療機器は、所定のバイタルサインを測定するとともに、機器に生じたエラーを検出しユーザに対して報知する機能を有する医療機器であって、検出された前記エラーに関するエラー履歴情報を記憶可能な記憶部と、前記医療機器と前記エラー履歴情報を処理するエラー情報処理装置とが通信可能な状態になった際に、前記エラー履歴情報を送信する通信部とを備えることを特徴とする。
【０００８】
上記の医療機器によれば、検出したエラーに関するエラー履歴情報を記憶部に記憶し、当該エラー履歴情報をエラー情報処理システムに送信することが可能である。従って、エラー情報処理システムにおいて、エラーの傾向（ユーザの癖等）を示す情報を作成し、これをユーザへの指導材料として医療従事者等に提供することにより、エラー情報の有効利用を図ることができる。
【０００９】
上記の医療機器において、前記エラー履歴情報は、前記エラーの発生日時、種類及びエラー発生時の前記医療機器の状態を含むとよい。
【００１０】
これらの情報を含むことにより、各ユーザに特有のエラーの傾向をより反映した情報を提供することができる。
【００１１】
また、本発明のエラー情報処理システムは、前記所定のバイタルサインを測定する医療機器と、該医療機器で発生したエラーに関する前記エラー履歴情報を取得するエラー履歴情報取得部と前記エラー履歴情報に含まれる各エラーに対する評価を含むエラープロパティ情報を作成するエラー情報処理部とを備えるエラー情報処理装置と、からなることを特徴とする。
【００１２】
上記のエラー情報処理システムによれば、エラー履歴情報に基づいて、各エラーに対する評価を含むエラープロパティ情報を作成するので、これをユーザへの指導材料として医療従事者等に提供することにより、エラー情報の有効利用を図ることができる。
【００１３】
上記のエラー情報処理システムにおいて、前記エラー情報処理部は、前記各エラーの発生日時から前記エラー履歴情報の受信日時までの差分時間をそれぞれ算出し、少なくとも前記差分時間を算出根拠に含めて、前記各エラーに対する評価値としてのポイントを算出するとよい。
【００１４】
エラーの発生日時と受信日時との差分時間を加味してポイントを算出することにより、現時点（受信日時）を基準としたエラー発生時期の古さに応じた評価値を割り振ることができる。従って、現状をよく反映したポイント計算がなされ、ユーザによるエラー発生の傾向をより適切に反映した指導材料を医療従事者等に提供することができる。
【００１５】
上記のエラー情報処理システムにおいて、前記エラー情報処理部は、前記エラー履歴情報中に同じ種類のエラーがある場合、同一種類の各エラーについて発生回数をそれぞれ算出し、前記差分時間及び前記発生回数に応じて前記ポイントを算出するとよい。
【００１６】
発生回数の多いエラーは、ユーザが発生させ易いエラーであるため、当該発生回数をポイント計算に反映することにより、ユーザによるエラー発生の傾向を一層適切に反映した指導材料を医療従事者等に提供することができる。
【００１７】
上記のエラー情報処理システムにおいて、前記各エラーについての前記ポイントを反映したダイアグラムを作成するダイアグラム作成部を備えるとよい。
【００１８】
このようなダイアグラムにより、医療従事者等において、ユーザによるエラー発生の傾向を効果的に把握することができる。
【００１９】
また、本発明のエラー情報処理プログラムは、コンピュータを、所定のバイタルサインを測定する医療機器にて発生したエラーに関するエラー履歴情報を取得するエラー履歴情報取得手段、及び前記エラー履歴情報に含まれる各エラーに対する評価を含むエラープロパティ情報を作成するエラー情報処理手段として機能させるためのエラー情報処理プログラムである。
【発明の効果】
【００２０】
本発明によれば、血糖計等の医療機器の誤操作等に係るエラー履歴情報に基づいて、ユーザによるエラーの傾向（癖等）を解析した情報を作成し、これをユーザへの指導材料として医療従事者等に提供することにより、エラー履歴情報の有効利用を図ることができる。
【図面の簡単な説明】
【００２１】
【図１】本発明の一実施形態に係る医療機器（血糖計）及びエラー情報処理装置（コンピュータ）から構成されたエラー情報処理システムを示す概略構成図である。
【図２】図１に示した医療機器の全体斜視図である。
【図３】図１に示した医療機器のブロック構成図である。
【図４】図１に示したエラー情報処理装置のブロック構成図である。
【図５】図５Ａは、エラー履歴情報のデータ構造を示す図であり、図５Ｂは、エラープロパティ情報のデータ構造を示す図であり、図５Ｃは、差分時間とスキルポイントとの関係を示すポイントテーブルのデータ構造を示す図である。
【図６】医療機器に記憶されたエラー履歴情報を利用してダイアグラムを表示するまでの、医療機器及びエラー情報処理装置の動作及び情報処理を示すフローチャートである。
【図７】エラー情報処理装置における情報処理を示すフローチャートである。
【図８】スキルポイントグラフのイメージ図である。
【図９】図９Ａは、ユーザスキルマップの一例を示す図であり、図９Ｂは、ユーザスキルマップの他の例を示す図であり、図９Ｃは、エラーグラフを示す図である。
【発明を実施するための形態】
【００２２】
以下、本発明に係る医療機器、エラー情報処理システム及びエラー情報処理プログラムについて好適な実施形態を挙げ、添付の図面を参照しながら説明する。
【００２３】
図１は、本発明の一実施形態に係るエラー情報処理システム１を構成する医療機器１０及びエラー情報処理装置５０を示す概略構成図である。本実施形態における医療機器１０は、血糖値を測定する血糖計１０Ａとして構成されている。血糖計１０Ａは、患者自身が操作して血糖測定を行うパーソナルユースの用途として主に用いられるが、特段の改造をすることなく医療従事者が使用する医療施設内用途としても使用可能である。
【００２４】
先ず、血糖計１０Ａについて説明する。図２に示すように、血糖計１０Ａは、ボディ１２と、チップ２６が装着されるチップ装着部１４と、チップ装着部１４の近傍上面に設けられたイジェクタ１６と、ボディ１２の上面中央に設けられたディスプレイ１８と、ボディ１２の上面の基端側に設けられた操作部２０と、ボディ１２の基端部側面に設けられた時間設定ボタン２２とを備える。血糖計１０Ａには、紐２４ａを介してキャップ２４が接続されている。このキャップ２４は、未使用時に血糖計１０Ａの先端部に装着されてチップ装着部１４を保護するものである。
【００２５】
血糖計１０Ａには、先端に試験具としてチップ２６が装着される。チップ２６は、いわゆるディスポーザブル品であり個包装体としてのケース２８内に収納され、ケース２８の基端開口部は図示しないフィルムでシールされている。チップ２６は、有底筒状のベース筒２６ａと、ベース筒２６ａから半径外方向に突出するフランジ２６ｂと、ベース筒２６ａの底部から突出するノズル２６ｃと、ベース筒２６ａの底部内面に設置された試験紙２６ｄとを有する。ノズル２６ｃの中心には、先端の点着部２６ｅから試験紙２６ｄに連通する直線状の血液導入路が設けられている。
【００２６】
試験紙２６ｄの材質としては、例えば、ポリエーテルスルホンが挙げられる。試験紙２６ｄに含浸される試薬としては、例えば、グルコースオキシターゼ（ＧＯＤ）、ペルオキシターゼ（ＰＯＤ）、４−アミノアンチピリン、Ｎ−エチルＮ−（２−ヒドロキシ−３−スルホプロピル）等の発色剤が挙げられる。また、試薬には所定の緩衝剤が含まれていてもよい。
【００２７】
血糖計１０Ａのボディ１２は、ユーザが片手で把持しやすいやや細長い形状であり、その先端部は先端方向に向かって細くなるとともにやや下側に屈曲して血液の点着操作が容易な形状となっている。
【００２８】
チップ装着部１４は、血糖計１０Ａの先端部に設けられており、上述したチップ２６を装着可能な円筒型に構成されている。ユーザが血糖計１０Ａを用いて血糖値を計測する際には、チップ装着部１４にチップ２６を装着し、装着されたチップ２６の先端の点着部２６ｅから血液を吸引する。チップ装着部１４の中心には、測定窓１５が設けられ、血糖測定の際には測定窓１５を介して、後述する測定部４０による光の照射及び受光が行われる。
【００２９】
ディスプレイ１８は、計測した血糖値を測定結果として表示する他、操作手順の案内、治療ガイダンス、エラーが発生した際のエラー内容とその対処方法の表示等が可能である。操作部２０は、電源３４のオン・オフをする電源ボタン３０と、過去に記憶された測定値を呼び出す記憶呼出ボタン３１を有する。
【００３０】
図３は、血糖計１０Ａのブロック構成図である。図３に示すように、血糖計１０Ａは、制御部３２と、電源３４と、時計３６と、記憶部３８と、測定部４０と、スピーカ４２と、温度計４４と、通信部４６とを有する。
【００３１】
制御部３２は、血糖計１０Ａの全体を統括的に制御している。電源３４には、例えばボタン電池が用いられ、電源ボタン３０の作用下に電力を制御部３２に供給する。時計３６は、タイマー機能及びカレンダー機能を有し、時間設定ボタン２２の操作によって年月日及び時刻が調整され、現在年月日及び時刻を制御部３２に通知する。
【００３２】
測定部４０は、本実施形態では光学式として構成されており、試験紙２６ｄにパルス状に光を照射する発光部４０ａと、呈色した試験紙２６ｄで反射した光を受光する受光部４０ｂと、該受光部４０ｂの受光信号をデジタル値に変換して制御部３２に供給するＡ／Ｄ変換器４０ｃとを有する。なお試験紙２６ｄ及び測定部４０は光学式に限らず、例えば、アンペロメトリー等を利用した電極式（電気化学方式）であってもよい。
【００３３】
ディスプレイ１８、時間設定ボタン２２、記憶呼出ボタン３１、電源３４、時計３６、記憶部３８、測定部４０、スピーカ４２、温度計４４及び通信部４６は、制御部３２に接続されており、制御部３２によりデバイスの動作制御やデータ伝送が行われる。制御部３２としては、例えばマイクロコンピュータが用いられ、記憶部３８に記憶された所定のプログラムを読み込み、当該プログラムに従って、血糖値測定、各デバイスの動作制御等に必要な所定の演算処理を実行する。
【００３４】
記憶部３８は、各種演算処理の実行に必要なプログラム、過去に計測した血糖値に関する情報（血糖値情報）、過去に生じたエラーに関する情報（エラー履歴情報）を記憶・保存しておく部分である。血糖値情報には、測定された各血糖値と、各血糖値に対応する測定年月日及び日時が含まれる。エラー履歴情報の内容については後述する。
【００３５】
なお、図３では煩雑になることを避けるために記憶部３８を１つのブロックで模式的に示しているが、プログラム格納用のＲＯＭ、各種処理の実行に際してプログラム又はデータを一時的に記憶するＲＡＭ、各種設定値等を記憶する不揮発性メモリ（例えばフラッシュメモリ）に分けるとよい。
【００３６】
通信部４６は、有線通信又は無線通信により、外部機器と通信する機能を有する。有線通信としては、ＵＳＢ接続による通信が挙げられ、無線通信としては、ＩＣタグ技術等を利用した近距離無線通信が挙げられる。具体的には、通信部４６は、血糖計１０Ａとコンピュータ５２とが接続された際に、記憶部３８に記憶された血糖値情報とエラー履歴情報をコンピュータ５２に送信する。
【００３７】
血糖計１０Ａには、使用環境（温度、明るさ等）、チップ２６の装着状態の不良、チップ２６の異常等、血糖計１０Ａの使用に際して何らかのエラー（不具合）が発生した場合に、それらのエラーを検出し、ユーザにエラーの発生を報知する機能を備えている。エラーが発生した際、血糖計１０Ａは、例えば、エラー内容をディスプレイ１８に表示し、又はスピーカ４２から警告音（ビープ音等）或いは音声ガイダンスを発することにより、エラーが発生したことをユーザに報知する。また、血糖計１０Ａは、エラーが発生した際には、当該エラーへの対処方法も併せてディスプレイ１８に表示し、ユーザ自身によるエラーへの対処を支援するようになっている。
【００３８】
検出され得るエラーの種類としては、チップ２６の装着異常（チップ２６が斜めに入っている、チップ２６の押し込みが浅い等）、チップ外れ、測定窓１５の汚れ、血液量の不足、周囲温度の不適、周囲明るさの不適等がある。なお、血糖計１０Ａは、上記に挙げたもの以外のエラーを検出するように構成してもよいことは勿論である。血糖計１０Ａの使用において、何らかのエラーが検出された場合、血糖計１０Ａは、その都度エラーに関する情報を記憶部３８に記憶し、エラー履歴情報として蓄積する。
【００３９】
図５Ａは、エラー履歴情報のデータ構造を示す図である。図５Ａに示すように、エラー履歴情報には、シーケンス番号である「Ｎｏ．」と、エラーが発生した年月日である「発生日時」と、血糖計１０Ａのエラー発生時の状態である「発生タイミング」と、エラーの種類（内容）を示す「エラー種類」とが含まれる。ここで、「発生タイミング」には、例えば、「チップ装着前」、「点着前」、「カウントダウン中」、「結果表示中」、「履歴中」、「通信中」がある。エラー履歴情報には、上記以外の状態も発生タイミングのカテゴリーの１つとして含めてもよい。エラー種類は、例えば、エラーの種類の数に対応した桁数のビット列で記述される。
【００４０】
「チップ装着前」は、電源３４をオンにした時点からチップ２６が正しく装着される前までの期間である。「点着前」は、チップ装着部１４にチップ２６が装着された後であって、チップ２６の先端に血液を点着することで測定が開始されるまでの期間である。「カウントダウン中」は、血糖計１０Ａが血糖値の測定に必要な処理をしている最中の期間である。なお、カウントダウン中は、ディスプレイ１８に測定完了までの残りの秒数が表示される。「結果表示中」は、血糖計１０Ａが算出した血糖値をディスプレイ１８に表示している期間である。「履歴中」は、血糖計１０Ａが過去の測定値をディスプレイ１８に表示している期間である。「通信中」は、血糖計１０Ａが、血糖値情報又はエラー履歴情報を送信するために外部機器と通信している期間である。
【００４１】
上記のように構成された血糖計１０Ａを用いて血糖値を測定するには、先ず、血糖計１０Ａの電源ボタン３０を押して電源３４をオンにするとともに、血糖計１０Ａの先端部でチップ装着部１４を覆っているキャップ２４を取り外す。次に、ケース２８から図示しないフィルムを剥がし、ケース２８内に収容されたチップ２６をチップ装着部１４に装着する。図示したチップ２６及び血糖計１０Ａの場合、チップ装着部１４にケース２８ごと装着し、その後ケース２８をチップ装着部１４から抜き取ることにより、チップ２６がチップ装着部１４に装着されるに至る。
【００４２】
チップ２６の装着に際し、チップ２６のチップ装着部１４への挿入が浅い、或いはチップ２６がチップ装着部１４に対して斜めに挿入されている等のチップ２６の装着異常があると、血糖計１０Ａがこれをエラーとして検出し、スピーカ４２からエラーの発生を知らせるビープ音を出力するとともに、ディスプレイ１８にはエラー内容と対処方法を表示する。この場合のエラーについて、「発生タイミング」は、「チップ装着前」であり、「エラー種類」は、「チップ装着エラー」である。従って、これらの情報がエラーの発生日時とともにエラー履歴情報として記憶部３８に記憶される。
【００４３】
記憶部３８には、過去に生じた複数回分のエラーが、予め設定した所定の分量だけエラー履歴情報として記憶される。例えば、所定の分量は、回数（例えば、過去５００回分）で規定してもよく、或いは期間（例えば、過去１年間分）で規定してもよい。所定の分量を超える分については、古い情報から順に削除され、新たな情報が追加される。
【００４４】
また、チップ２６をチップ装着部１４に装着した際、測定窓１５に汚れや埃が付いている可能性がある場合には、血糖計１０Ａがこれをエラーとして検出し、スピーカ４２からエラーの発生を知らせるビープ音を出力するとともに、ディスプレイ１８にはエラー内容とその対処方法を表示する。この場合のエラーについて、「発生タイミング」は、「チップ装着前」であり、「エラー種類」は、「測定窓の汚れ」である。従って、これらの情報がエラーの発生日時とともにエラー履歴情報として記憶部３８に記憶される。チップ２６がチップ装着部１４に適切に装着されると、ディスプレイ１８には、チップ２６に血液を付けることを促す操作案内が表示される。
【００４５】
次に、チップ２６の点着部２６ｅに血液を点着させる。このとき、点着させた血液量が少な過ぎる場合には、血糖計１０Ａがこれをエラーとして検出し、ディスプレイ１８にはエラー内容と対処方法が表示される。この場合のエラーについて、「発生タイミング」は、測定開始に至っていないので「点着前」であり、「エラー種類」は、「血液量の不足」である。従って、これらの情報がエラーの発生日時とともにエラー履歴情報として記憶部３８に記憶される。
【００４６】
チップ２６の点着部２６ｅに測定に十分な量の血液が点着され、血液がノズル２６ｃ内を通り試験紙２６ｄに導かれると、測定部４０において受光信号に基づいて、血糖値の測定を開始する。このとき試験紙２６ｄには血液が浸潤されグルコースと試薬との反応により呈色が進行し、受光部４０ｂの受光信号が変化していく。血液点着の検出時から所定時間経過後、得られた受光信号に基づいて血糖値を求める。
【００４７】
血糖計１０Ａは、血糖値の測定開始から測定終了までの間、カウントダウンを行う。このカウントダウンにおいて、ディスプレイ１８には、「９」、「８」、「７」…という具合に測定完了までの秒数を示す数字が表示される。
【００４８】
カウントダウン中、周囲が明る過ぎる場合には、血糖計１０Ａがこれをエラーとして検出し、ディスプレイ１８にはエラー内容と対処方法が表示される。この場合のエラーについて、「発生タイミング」は、「カウントダウン中」であり、「エラー種類」は、「周囲明るさの不適」である。従って、これらの情報がエラーの発生日時とともにエラー履歴情報として記憶部３８に記憶される。なお、「周囲明るさの不適」のエラーは、カウントダウン中だけでなく、チップ２６の装着前或いは血液の点着前においても検出され得る。
【００４９】
カウントダウン中、周囲温度が高過ぎる或いは低過ぎる場合には、血糖計１０Ａがこれをエラーとして検出し、ディスプレイ１８にはエラー内容と対処方法が表示される。この場合のエラーについて、「発生タイミング」は、「カウントダウン中」であり、「エラー種類」は、「周囲温度の不適」である。従って、これらの情報がエラーの発生日時とともにエラー履歴情報として記憶部３８に記憶される。なお、「周囲温度の不適」のエラーは、カウントダウン中だけでなく、チップ２６の装着前或いは血液の点着前においても検出され得る。
【００５０】
カウントダウン中に、チップ２６が外れた場合には、血糖計１０Ａがこれをエラーとして検出し、ディスプレイ１８にはエラー内容と対処方法が表示される。この場合のエラーについて、「発生タイミング」は、「カウントダウン中」であり、「エラー種類」は、「チップ外れ」である。従って、これらの情報がエラーの発生日時とともにエラー履歴情報として記憶部３８に記憶される。
【００５１】
カウントダウンが終了し、血糖値の測定が完了すると、測定結果としての血糖値に対応した数字がディスプレイ１８に表示される。このように計測された血糖値は、血糖値情報として記憶部３８に記憶される。記憶部３８には、過去に計測した複数回分（例えば、過去５００回分）の血糖値が記憶される。過去に計測した血糖値は、記憶呼出ボタン３１の操作に応じてディスプレイ１８に表示することができる。
【００５２】
上述した本実施形態に係る血糖計１０Ａによれば、検出したエラーに関するエラー履歴情報を記憶部３８に記憶し、当該エラー履歴情報をエラー情報処理装置５０に送信することが可能である。従って、エラー情報処理装置５０において、エラーの傾向（ユーザの癖等）を示す情報を作成し、これをユーザへの指導材料として医療従事者等に提供することにより、エラー情報の有効利用を図ることができる。
【００５３】
また、本実施形態の場合、エラー履歴情報は、エラーの発生日時、エラーの種類及びエラー発生時の血糖計１０Ａの状態（発生タイミング）を含むので（図５Ａ参照）、ユーザごとに異なるエラーの発生傾向（特徴）を解析するのに有用な情報であり、エラー情報処理装置５０における情報処理によって得られる結果の信頼性を効果的に高めることができる。
【００５４】
次に、エラー情報処理システム１を構成するエラー情報処理装置５０について説明する。コンピュータ５２は、例えば、医療施設等に設置されたパーソナルコンピュータであり、ＣＰＵ（中央演算処理装置）、主記憶装置としてのＲＡＭ、補助記憶装置としてのハードディスク等から構成され、さらに、ディスプレイ等の表示手段５４と、キーボード、マウス等の入力手段５６が接続されている。
【００５５】
また、コンピュータ５２には、無線通信用の通信手段５８が接続されている。この通信手段５８は、血糖計１０Ａの通信部４６から送信される無線信号を受信可能な受信部として機能する。なお、血糖計１０Ａが、有線通信のみによって外部機器と通信を行うように構成されている場合、所定の通信ケーブル（例えば、ＵＳＢケーブル）を介して血糖計１０Ａとコンピュータ５２とを接続することにより、血糖計１０Ａから所定データをコンピュータ５２へと送信することができる。
【００５６】
コンピュータ５２には、当該コンピュータ５２をエラー情報処理装置５０として機能させるためのプログラム（エラー情報処理プログラム）Ｐがインストールされている。すなわち、当該プログラムＰがコンピュータ５２を構成するハードウエア（ＣＰＵ）に読み込まれ、プログラムＰとハードウエアとが協働することにより、後述するエラー情報に係る各種処理が実現される。
【００５７】
コンピュータ５２へのプログラムＰのインストールは、例えば、当該プログラムＰを記憶した記憶媒体ＭからプログラムＰをコンピュータ５２の補助記憶装置にコピーする方法により行うことができる。或いは、当該インストールは、インターネット等のネットワークを介してプログラムＰをダウンロードする方法によっても行うことができる。
【００５８】
図４は、エラー情報処理装置５０の主要部を示すブロック構成図である。エラー情報処理装置５０は、エラー履歴情報を受信するエラー履歴情報取得部６０と、当該エラー履歴情報に含まれる各エラーに対する評価を含むエラープロパティ情報を作成し、該情報に基づくダイアグラムを作成するエラー情報処理部６２と、エラー情報処理部６２にて作成された情報を表示手段５４へと出力する出力部６４とを備える。エラー情報処理装置５０を構成する各機能部（エラー履歴情報取得部６０、エラー情報処理部６２及び出力部６４）は、プログラムＰに従って動作するコンピュータ５２の機能として設けられる。
【００５９】
エラー履歴情報取得部６０は、血糖計１０Ａから送信されたエラー履歴情報を受信するとともに、その受信日時を記録する。取得したエラー履歴情報には、図５Ａに示したように、シーケンス番号である「Ｎｏ．」と、エラーが発生した日時である「発生日時」と、血糖計１０Ａのエラー発生時の状態である「発生タイミング」と、エラーの種類（内容）を示す「エラー種類」とが含まれる。
【００６０】
エラー情報処理部６２は、エラープロパティ情報作成部６６と、ダイアグラム作成部６８とを有する。エラープロパティ情報作成部６６は、エラー履歴情報に含まれる各エラーに対する評価を含むエラープロパティ情報を作成する。図５Ｂは、エラープロパティ情報のデータ構造の一例を示す図である。エラープロパティ情報には、上述した「発生日時」、「発生タイミング」、「エラー種類」の他、「ユーザＩＤ」、コンピュータ５２（エラー情報処理装置５０）がエラー履歴情報を受信した日時である「受信日時」、各エラーに対する評価値である「スキルポイント」が含まれる。当該エラープロパティ情報における「発生日時」、「発生タイミング」及び「エラー種類」は、それぞれ、エラー履歴情報における「発生日時」、「発生タイミング」及び「エラー種類」と同じ意味である。なお、以下、「スキルポイント」を単に「ポイント」と言う場合がある。
【００６１】
エラープロパティ情報作成部６６は、各エラーの発生日時からエラー履歴情報の受信日時までの差分時間をそれぞれ算出し、当該差分時間に応じて、各エラーに対する評価値としてのポイントを算出する。また、エラープロパティ情報作成部６６は、エラー履歴情報中に同じ種類のエラーがある場合、同一種類の各エラーについて発生回数をそれぞれ算出し、差分時間及び発生回数に応じてポイントを算出する。なお、スキルポイントの算出方法の詳細については、エラー情報処理部６２の処理手順を説明するときに併せて説明する。
【００６２】
ダイアグラム作成部６８は、各エラーについてのスキルポイントを反映したダイアグラム（図９Ａ及び図９Ｂ参照）を作成する。ダイアグラム作成部６８が作成するダイアグラムは、各エラーに対するスキルポイントを考慮することによりユーザにおけるエラー発生の傾向（癖）を幾何学モデルで表現した図形であり、例えば、各種のグラフ、マップ、ヒストグラム等である。ダイアグラム作成部６８にて作成されたダイアグラムは、出力部６４の作用下に表示手段５４へと出力され、表示手段５４において表示され、医療従事者等に提供される。
【００６３】
次に、血糖計１０Ａに記憶されたエラー履歴情報を利用して、ユーザが発生させるエラーの傾向を反映したダイアグラムが表示されるまでの手順を、主として図６及び図７に示すフローチャートを参照して説明する。ここでは、前提として、血糖計１０Ａには、複数のエラーに関する情報を含むエラー履歴情報が記憶されており、且つ当該各エラーには、異なる種類及び同一種類の複数のエラーが含まれるものとする。また、図６において［血糖計］が表示されたステップは、血糖計１０Ａによる処理ステップであることを示し、図６及び図７において［処理装置］が表示されたステップは、エラー情報処理装置５０による処理ステップであることを示す。以下、エラー情報処理装置５０を単に「処理装置５０」という場合がある。
【００６４】
コンピュータ５２に接続された通信手段５８にエラー履歴情報が記憶された血糖計１０Ａを近づける（ステップＳ１）。そうすると、血糖計１０Ａの通信部４６及びコンピュータ５２に接続された通信手段５８による通信が行われることにより、処理装置５０が血糖計１０Ａを認識するとともに（ステップＳ２）、血糖計１０Ａが処理装置５０との接続を認識する（ステップＳ３）。すると、次に、血糖計１０Ａは、その記憶部３８に記憶されたエラー履歴情報を送信し（ステップＳ４）、通信手段５８が当該エラー履歴情報を受信して、処理装置５０が当該エラー履歴情報を取得する（ステップＳ５）。
【００６５】
エラー履歴情報を取得した処理装置５０は、次に、エラープロパティ情報を作成する（ステップＳ６）。図７は、エラープロパティ情報作成部６６における処理手順を示すフローチャートである。図７に示すように、エラープロパティ情報作成部６６は、先ず、ユーザＩＤの検索を行って該当するユーザＩＤを特定し（ステップＳ６ａ）、特定されたユーザＩＤに係る情報をエラープロパティ情報に追加する（ステップＳ６ｂ）。次に、エラー履歴情報を受信した日時情報を追加する（ステップＳ６ｃ）。
【００６６】
次に、エラープロパティ情報作成部６６は、エラーの発生日時から、エラー履歴情報取得部６０がエラー履歴情報を取得した日時である受信日時までの時間（以下、「差分時間」という）を、エラーごとに算出する（ステップＳ６ｄ）。すなわち、差分時間は、受信時間を基準としてどれだけ前に発生したエラーであるの時間量であり、通常、エラーごとに異なる。
【００６７】
次に、エラープロパティ情報作成部６６は、エラー履歴情報中に同じ種類のエラーがある場合、同一種類の各エラーについて発生回数をそれぞれ算出する（ステップＳ６ｅ）。例えば、エラー履歴情報の中にチップ異常エラーが３つ含まれる場合、最も日時が古いチップ異常エラーに対しては１回目、２番目に古い日時のチップ異常エラーに対しては２回目、３番目に古い（最も新しい）日時のチップ異常エラーに対しては３回目であることをそれぞれ算出する。すなわち、ステップＳ６ｅでは、各エラーについて、同一種類のエラーの中でそれが何回目のエラーであるのかを特定する。
【００６８】
続いて、エラープロパティ情報作成部６６は、図８に示すスキルポイントグラフに基づいて、各エラーに対する評価値としてのポイント（スキルポイント）を算出する。図８に示すスキルポイントグラフにおいて、横軸は差分時間（括弧内は、対応する日数）であり、縦軸はスキルポイントを示している。
【００６９】
図８に示すように、スキルポイントは、差分時間及びエラー回数に応じて決められる。具体的には、差分時間が小さいほど、与えられるスキルポイントが段階的に大きくなる。また、エラー回数に応じて異なる複数の線Ｌ１〜Ｌ４が設定されており、エラー回数が多いほど、与えられるスキルポイントが段階的に大きくなる。なお、図８では、図示の便宜上、スキルポイントグラフの各線Ｌ１〜Ｌ４同士が本来的には重なる部分を僅かにずらして示している。
【００７０】
エラー情報処理装置５０には、図８のスキルポイントグラフに対応するテーブルがエラー回数ごとに設けられている。スキルポイントグラフに対応するスキルポイントテーブルは、例えば、図５Ｃに示すデータ構造を有し、差分時間とスキルポイントとが対応付けられている。エラープロパティ情報作成部６６は、エラー回数ごとに設けられたスキルポイントテーブルを参照し、各エラーに対するスキルポイントを算出する。
【００７１】
図８に示すスキルポイントグラフに基づくポイントの計算方法を例示すると、以下のようになる。例えば、チップ異常エラーが、差分時間で１９０ｈ（１回目）と４０ｈ（２回目）の合計２回ある場合に、１回目のチップ異常エラーに対しては、実線で示す線Ｌ１の１９０ｈを参照することにより２ポイントが算出され、２回目のチップ異常エラーに対しては、点線で示す線Ｌ２の４０ｈを参照することにより４ポイントが算出される。従って、チップ異常エラーについては、合計６ポイントが割り当てられる。その他のエラーについても、エラーごとに差分時間とエラー発生回数に応じてポイントが算出される。
【００７２】
なお、図８に示すスキルポイントグラフは一例に過ぎず、差分時間及び発生回数との関係におけるポイントに対する重み付けの程度は、任意に設定できることは勿論である。例えば、差分時間が小さいエラーに対してはより多くのポイントが割り当てられるように各線Ｌ１〜Ｌ４が設定されてもよい。スキルポイントグラフにおけるエラー回数ごとの線は、４つに限られず、必要に応じて３以下又は５以上の線が設定されてもよい。
【００７３】
本実施形態におけるエラープロパティ情報作成部６６は、図８に示すスキルポイントグラフに基づいて差分時間と発生回数の両方を加味して各エラーに対するポイントを算出するように構成されているが、これとは異なり、発生回数を加味せず、差分時間のみに基づいて各エラーに対するポイントを計算するように構成されてもよい。
【００７４】
図７を再び参照する。エラープロパティ情報作成部６６は、上記のようにして算出されたポイントをスキルポイント情報として追加する（ステップＳ６ｇ）。これにより、図５Ｂに示すデータ構造を有するエラープロパティ情報が作成される。
【００７５】
次に、ダイアグラム作成部６８は、作成されたエラープロパティ情報に基づき、各エラーについてのスキルポイントを反映したダイアグラムを作成する。ここでは、ダイアグラムとして、スキルマップを作成するものとする（ステップＳ７）。ダイアグラム作成部６８が作成するスキルマップとしては、例えば、図９Ａに示すようなエラーの発生タイミングで分類した多角形グラフや、図９Ｂに示すようなエラーの種類で分類した多角形グラフが挙げられる。なお、各エラーについてのスキルポイントを反映したダイアグラムとしては、図９Ａ及び図９Ｂに例示した形態のものに限らず、棒グラフ、折れ線グラフ等の他の種類のダイアグラムであってもよい。
【００７６】
ダイアグラム作成部６８は、図９Ｃに示すエラーグラフを作成してもよい（ステップＳ８）。図９Ｃのエラーグラフにおいて、横軸はエラー発生日時から受信日時までの日数（差分日数）であり、縦軸は１日における時刻である。グラフ中の黒い点は、発生したエラーであり、グラフ中の位置によって、何日前の何時に発生したものであるのかが示されている。
【００７７】
ダイアグラム作成部６８により作成されたダイアグラム（この例では、スキルマップ及びエラーグラフ）は、出力部６４（図４参照）の処理作用下に表示手段５４（図１参照）へと出力され、表示手段５４によって表示される（ステップＳ９）。表示されたダイアグラムは、ユーザによるエラーの発生の傾向（癖）を反映したものであり、ユーザへの血糖計１０Ａの操作方法に関する指導材料として、医師等の医療従事者に提供される。
【００７８】
なお、コンピュータ５２において同一ユーザについて過去に作成した１つ又は複数のダイアグラムが保存されている場合には、エラー情報処理装置５０は、表示手段５４に過去のダイアグラムと最新のダイアグラムとを表示させる機能を備えてもよい。エラー情報処理装置５０がこのような機能を備えることにより、医療従事者において過去のダイアグラムと最新のダイアグラムとを比較でき、ユーザによる血糖計１０Ａの操作スキルの変化（上達の様子）を把握することができる。
【００７９】
上述したように、コンピュータ５２には、当該コンピュータ５２をエラー情報処理装置５０として機能させるためのプログラムＰがインストールされている。すなわち、当該プログラムＰは、コンピュータ５２を、所定のバイタルサインを測定する医療機器１０（血糖計１０Ａ）にて発生したエラーに関するエラー履歴情報を取得するエラー履歴情報取得手段（エラー履歴情報取得部６０）、及びエラー履歴情報に含まれる各エラーに対する評価を含むエラープロパティ情報を作成し、該情報によりダイアグラムを作成するエラー情報処理手段（エラー情報処理部６２）として機能させるためのプログラムである。
【００８０】
以上説明したように、エラー情報処理装置５０によれば、エラー履歴情報に基づいて、各エラーに対する評価を含むエラープロパティ情報を作成するので、これをユーザへの指導材料として医療従事者等に提供することにより、エラー情報の有効利用を図ることができる。
【００８１】
具体的には、エラー情報処理装置５０は、各エラーに対する評価（スキルポイント）を含むエラープロパティ情報を作成するとともに、スキルポイントを反映したダイアグラムを作成するので、医療従事者等において、ユーザによるエラー発生の傾向を適切に把握することができ、ユーザに対してより適切な指導を与えることができる。
【００８２】
本実施形態の場合、エラー情報処理装置５０のエラー情報処理部６２は、エラーの発生日時と受信日時との差分時間を加味してポイントを算出するので、現時点（受信日時）を基準としたエラー発生時期の古さに応じて重み付けをした評価値を割り振ることができる。従って、現状をよく反映したポイント計算がなされ、ユーザによるエラー発生の傾向をより適切に反映した指導材料を医療従事者等に提供することができる。
【００８３】
また、本実施形態の場合、エラー情報処理装置５０のエラー情報処理部６２は、エラー履歴情報中に同じ種類のエラーがある場合、同一種類の各エラーについて発生回数をそれぞれ算出し、上述した差分時間及び発生回数に応じてポイントを算出するので、より適切な重み付けがされたポイント計算がなされる。すなわち、発生回数の多いエラーは、ユーザが発生させ易いエラーであるため、当該発生回数をポイント計算に反映することにより、ユーザによるエラー発生の傾向を一層適切に反映したポイント計算がなされ、より信頼性の高い情報を医療従事者等に提供することができる。
【００８４】
上記において、本発明について好適な実施形態を挙げて説明したが、本発明は前記実施形態に限定されるものではなく、本発明の要旨を逸脱しない範囲において、種々の改変が可能なことは言うまでもない。
【００８５】
上述した実施形態では、血液中のグルコース濃度を測定する血糖計を挙げて説明したが、これに限定されるものではなく、血液、リンパ液、髄液、唾液等の体液中の所定成分を測定するものであればよく、所定成分としては、例えば、コレステロール、尿酸、クレアチニン、乳酸、ヘモグロビン（潜血）、各種アルコール類、各種糖類、各種タンパク質、各種ビタミン類、ナトリウム等の各種無機イオン、ＰＣＢやダイオキシン等の環境ホルモンであってもよい。更にまた、前記実施例では、所定成分の量を測定するものとして説明したが、所定成分の性質を測定するものであってもよい。
【００８６】
本発明は、体液の所定成分を測定する医療機器に適用可能であるが、これに限らず、例えば、体液成分以外のバイタルサインを測定する医療機器にも適用可能である。バイタルサインとしては心拍数・呼吸(数)・血圧・体温、血流量、酸素飽和度、心電等を含む。また、ここでいう医療機器とはいわゆるパーソナルユース品に限らず、例えば臨床機器を含むことはもちろんである。
【符号の説明】
【００８７】
１…エラー情報処理システム          １０…医療機器
１０Ａ…血糖計                      ３８…記憶部
４６…通信部                        ５０…エラー情報処理装置
６０…エラー履歴情報取得部          ６２…エラー情報処理部
Ｐ…プログラム（エラー情報処理プログラム）
【図１】
2013076598.tif 000003
【図２】
2013076598.tif 000004
【図３】
2013076598.tif 000005
【図４】
2013076598.tif 000006
【図５】
2013076598.tif 000007
【図６】
2013076598.tif 000008
【図７】
2013076598.tif 000009
【図８】
2013076598.tif 000010
【図９】
2013076598.tif 000011